(57)【要約】【課題】布団の乾燥効率を向上させる。【解決手段】布団乾燥機（１００）は、本体部（１１０）と、第１突起部（１１０ｓ）と、第２突起部（１１０ｔ）と、送風管（１２０）とを備える。第１突起部（１１０ｓ）は、本体部（１１０）の表面において突起する。第２突起部（１１０ｔ）は、本体部（１１０）の表面において突起する。送風管（１２０）は、第１突起部（１１０ｓ）第２突起部（１１０ｔ）の間に配置される。【選択図】図１
2019201778.tif 000002
【特許請求の範囲】
【請求項１】
本体部と、
前記本体部の表面において突起する第１突起部と、
前記本体部の表面において突起する第２突起部と、
前記第１突起部と前記第２突起部の間に配置された送風管と
を備える、布団乾燥機。
【請求項２】
前記本体部は、複数の外面を有し、
前記本体部において、前記複数の外面のうち前記第１突起部および前記第２突起部の設けられた外面とは異なる外面に吸気口が設けられる、請求項１に記載の布団乾燥機。
【請求項３】
前記第１突起部および前記第２突起部は、前記本体部に対して移動可能、伸縮可能または脱着可能である、請求項１または２に記載の布団乾燥機。
【請求項４】
前記本体部に取り付けられた脚部をさらに備える、請求項１から３のいずれかに記載の布団乾燥機。
【請求項５】
前記脚部は、前記本体部に対して移動可能、伸縮可能または脱着可能である、請求項４に記載の布団乾燥機。
【請求項６】
前記送風管は、変形可能であるか、または、前記本体部に対して回転可能である、請求項１から５のいずれかに記載の布団乾燥機。
【請求項７】
前記送風管は、前記本体部と連絡する基管と、前記基管に連結された本管とを有し、
前記本体部は、複数の外面を有し、
前記本体部のうち前記複数の外面のうち前記基管の設けられた面に対向する面の面積は、前記本体部のうち前記複数の外面のうち前記基管の設けられた面の面積よりも大きい、請求項１から６のいずれかに記載の布団乾燥機。
【発明の詳細な説明】
【技術分野】
【０００１】
本発明は、布団乾燥機に関する。
【背景技術】
【０００２】
布団乾燥機は、布団の乾燥に用いられる。布団乾燥機を用いて布団を乾燥させることにより、乾燥した温かい布団で快適に睡眠することが可能になる。
【０００３】
布団乾燥機では、本体部からホースを介して温風を供給することが知られている（例えば、特許文献１）。特許文献１の布団乾燥機では、ホースの先端に複数の吹き出し口を設けた乾燥ユニットが取り付けられている。乾燥ユニットは、敷布団と掛布団との間に入れた状態で、複数の吹き出し口から温風を外部に放出する。
【先行技術文献】
【特許文献】
【０００４】
【特許文献１】特開２０１７−７４１９８号公報
【発明の概要】
【発明が解決しようとする課題】
【０００５】
しかしながら、特許文献１の布団乾燥機では、ホースに比べて硬く大きな乾燥ユニットを敷布団と掛布団との間に入れるため、敷布団と掛布団との間に大きな隙間が発生する。このため、布団乾燥機を駆動させても、布団の乾燥効率が低く、要した電力に対して充分に乾燥できないことがあった。
【０００６】
本発明は、上記課題に鑑みてなされたものであり、その目的は、布団の乾燥効率を向上させる布団乾燥機を提供することにある。
【課題を解決するための手段】
【０００７】
本発明に係る布団乾燥機は、本体部と、第１突起部と、第２突起部と、送風管とを備える。前記第１突起部は、前記本体部の表面において突起する。前記第２突起部は、前記本体部の表面において突起する。前記送風管は、前記第１突起部と前記第２突起部の間に配置される。
【発明の効果】
【０００８】
本発明によれば、布団の乾燥効率を向上できる。
【図面の簡単な説明】
【０００９】
【図１】実施形態１の布団乾燥機の模式的な底面斜視図である。
【図２】実施形態１の布団乾燥機の模式的な斜視図である。
【図３】実施形態１の布団乾燥機の模式的な正面図である。
【図４】比較例の布団乾燥機の模式的な斜視図である。
【図５】比較例の布団乾燥機を用いた布団乾燥実験の実験条件を説明するための模式図である。
【図６】（ａ）は比較例の布団乾燥機を用いた布団乾燥実験の結果を示すグラフであり、（ｂ）は実施形態１の布団乾燥機を用いた布団乾燥実験の結果を示すグラフである。
【図７】実施形態１の布団乾燥機の模式的な底面斜視図である。
【図８】実施形態２の布団乾燥機の模式的な底面斜視図である。
【図９】実施形態２の布団乾燥機の模式的な斜視図である。
【図１０】実施形態３の布団乾燥機の模式的な底面斜視図である。
【図１１】実施形態３の布団乾燥機の模式的な斜視図である。
【図１２】実施形態４の布団乾燥機の模式的な底面斜視図である。
【図１３】実施形態４の布団乾燥機の模式的な斜視図である。
【図１４】実施形態５の布団乾燥機の模式的な斜視図である。
【図１５】実施形態５の布団乾燥機のある使用状態を示す斜視図である。
【図１６】実施形態５の布団乾燥機の別の使用状態を示す斜視図である。
【発明を実施するための形態】
【００１０】
以下、図面を参照して本発明による布団乾燥機の実施形態を説明する。なお、図中、同一または相当部分には同一の参照符号を付して説明を繰り返さない。なお、本願明細書では、発明の理解を容易にするため、互いに直交するＸ方向、Ｙ方向およびＺ方向を参照して説明することがある。例えば、Ｘ方向およびＹ方向が水平方向に平行である場合、Ｚ方向は鉛直方向に平行である。
【００１１】
（実施形態１）
図１から図７を参照して本発明による実施形態１の布団乾燥機１００を説明する。図１は、布団乾燥機１００の模式的な底面斜視図である。布団乾燥機１００は、布団の乾燥に好適に用いられる。
【００１２】
布団乾燥機１００は、本体部１１０と、送風管１２０と、第１突起部１１０ｓと、第２突起部１１０ｔとを備える。送風管１２０は、本体部１１０と連絡する。本体部１１０において発生した風は送風管１２０を通過する。典型的には、送風管１２０を通過する風は室温よりも温度の高い温風である。ただし、送風管１２０を通過する風は室温であってもよい。
【００１３】
第１突起部１１０ｓおよび第２突起部１１０ｔは、本体部１１０の表面に設けられる。第１突起部１１０ｓおよび第２突起部１１０ｔは本体部１１０の表面において突起している。第１突起部１１０ｓおよび第２突起部１１０ｔは互いに対向する。送風管１２０は、第１突起部１１０ｓと第２突起部１１０ｔとの間に配置される。
【００１４】
本体部１１０は、筐体１１２と、吸気口１１４（図２参照）と、送風ファン１１６と、送風加熱機構１１８とを有する。筐体１１２は、中空形状である。筐体１１２の長手方向は、Ｙ方向に平行である。筐体１１２の外形は、一部窪んだ略直方体形状である。
【００１５】
吸気口１１４（図２参照）は筐体１１２に設けられる。吸気口１１４から筐体１１２の内部に空気が吸い込まれる。
【００１６】
送風ファン１１６および送風加熱機構１１８は、筐体１１２内に配置される。送風ファン１１６は、風を生成する。送風ファン１１６が風を生成すると、吸気口１１４から空気が筐体１１２内に吸い込まれる。例えば、送風ファン１１６はシロッコファンである。送風加熱機構１１８は、送風ファン１１６の生成した風の温度を上昇させる。例えば、送風加熱機構１１８は抵抗加熱ヒータである。送風ファン１１６によって生成された風は、送風加熱機構１１８によって加熱され、送風管１２０を通過して外部に流れる。なお、送風ファン１１６および送風加熱機構１１８は、シロッコファンおよび抵抗加熱ヒータに限定されるわけではない。
【００１７】
第１突起部１１０ｓおよび第２突起部１１０ｔは、筐体１１２の表面に取り付けられる。第１突起部１１０ｓは、筐体１１２から−Ｚ方向に突起するように筐体１１２の表面の−Ｘ方向側に取り付けられる。また、第２突起部１１０ｔは、筐体１１２から−Ｚ方向に突起するように筐体１１２の表面の＋Ｘ方向側に取り付けられる。このため、第１突起部１１０ｓおよび第２突起部１１０ｔは筐体１１２の表面において突起する。
【００１８】
本体部１１０は、複数の外面を有する。ここでは、本体部１１０の複数の外面は、一部窪んだ略直方体形状を構成する。本体部１１０は、複数の外面として、主面１１０ａと、主面１１０ｂと、側面１１０ｃと、側面１１０ｄと、側面１１０ｅと、側面１１０ｆとを有する。主面１１０ａおよび主面１１０ｂの法線はＺ方向に平行であり、主面１１０ａは＋Ｚ方向側に位置し、主面１１０ｂは−Ｚ方向側に位置する。主面１１０ａは、主面１１０ｂに対向する。主面１１０ａは、＋Ｚ方向側から−Ｚ方向側に向かって本体部１１０を平面視した面である。主面１１０ｂは、−Ｚ方向側から＋Ｚ方向側に向かって本体部１１０を平面視した面である。
【００１９】
側面１１０ｃおよび側面１１０ｅの法線はＸ方向に平行であり、側面１１０ｃは−Ｘ方向側に位置し、側面１１０ｅは＋Ｘ方向側に位置する。側面１１０ｃは、側面１１０ｅに対向する。側面１１０ｃは、−Ｘ方向側から＋Ｘ方向側に向かって本体部１１０を平面視した面である。側面１１０ｅは、＋Ｘ方向側から−Ｘ方向側に向かって本体部１１０を平面視した面である。
【００２０】
側面１１０ｄおよび側面１１０ｆの法線はＹ方向に平行であり、側面１１０ｄは−Ｙ方向側に位置し、側面１１０ｆは＋Ｙ方向側に位置する。側面１１０ｄは、側面１１０ｆに対向する。側面１１０ｄは、−Ｙ方向側から＋Ｙ方向側に向かって本体部１１０を平面視した面である。側面１１０ｆは、＋Ｙ方向側から−Ｙ方向側に向かって本体部１１０を平面視した面である。
【００２１】
ここでは、主面１１０ａの面積は主面１１０ｂの面積と略等しい。同様に、側面１１０ｃの面積は側面１１０ｅの面積と略等しい。また、側面１１０ｄの面積は側面１１０ｆの面積と等しい。
【００２２】
主面１１０ａおよび主面１１０ｂの面積は、側面１１０ｃおよび側面１１０ｅの面積よりも大きく、側面１１０ｃおよび側面１１０ｅの面積は側面１１０ｄおよび側面１１０ｆの面積よりも大きい。したがって、本体部１１０の外面のうち面積の最も大きい外面は主面１１０ａおよび主面１１０ｂである。一方、本体部１１０の外面のうち面積の最も小さい外面は側面１１０ｄおよび側面１１０ｆである。
【００２３】
本体部１１０の主面１１０ｂおよび側面１１０ｄには窪み１１０ｇが設けられる。送風管１２０は、本体部１１０の窪み１１０ｇにおいて筐体１１２の内部と連絡する。
【００２４】
また、本体部１１０の主面１１０ｂには、第１突起部１１０ｓと第２突起部１１０ｔとが設けられる。さらに、本体部１１０の主面１１０ｂには、第１突起部１１０ｓと第２突起部１１０ｔとの間に窪み１１０ｈが設けられる。送風管１２０は、本体部１１０の窪み１１０ｈに収まるように配置される。
【００２５】
送風管１２０は管状である。本体部１１０からの風は、送風管１２０の管内を通過する。ここでは、送風管１２０は、本体部１１０からの風をＹ方向に送り出す。本体部１１０と送風管１２０との間には隙間が設けられる。
【００２６】
送風管１２０は、基管１２２と、本管１２４とを含む。基管１２２および本管１２４は、それぞれ管状である。本管１２４は、基管１２２に取り付けられる。なお、基管１２２および本管１２４は一体的に設けられてもよい。
【００２７】
基管１２２は、本体部１１０の窪み１１０ｇに位置する。本管１２４は、本体部１１０の窪み１１０ｈ内に位置する。本管１２４の側方には第１突起部１１０ｓおよび第２突起部１１０ｔが位置する。
【００２８】
基管１２２は、直線部１２２ａと、連結部１２２ｂとを含む。直線部１２２ａは、本体部１１０の窪み１１０ｇを規定して対向する２つの側面を連絡するようにＸ方向に延びる。連結部１２２ｂは、本管１２４と連結する。ここでは、連結部１２２ｂは、−Ｚ方向に延びる。
【００２９】
本管１２４は、曲部１２４ａと、直線部１２４ｂと、先端部１２４ｃとを含む。曲部１２４ａは、基管１２２と連絡する。曲部１２４ａの一端は、＋Ｚ方向を向いており、連結部１２２ｂに連結される。曲部１２４ａの他端は、＋Ｙ方向を向いており、直線部１２４ｂと連絡する。
【００３０】
直線部１２４ｂは、曲部１２４ａと先端部１２４ｃとを連絡する。直線部１２４ｂは、Ｙ方向に延びる。直線部１２４ｂは、筐体１１２に対向する。先端部１２４ｃは、外部に開口している。
【００３１】
布団乾燥機１００が布団を乾燥する際に、送風管１２０の先端部１２４ｃおよび直線部１２４ｂの少なくとも一部が上側布団と下側布団との間に挿入される。このとき、上側布団は、本体部１１０の自重で第１突起部１１０ｓおよび第２突起部１１０ｔに押圧されるとともに、本体部１１０と送風管１２０との間に挟まれる。布団乾燥機１００を駆動すると、吸気口１１４（図２参照）から空気を吸い込み、送風管１２０の先端部１２４ｃから上側布団と下側布団との間に風を吹き出して上側布団と下側布団とを乾燥させる。さらに、送風管１２０の先端部１２４ｃから温風を吹き出すと、上側布団および下側布団を温めながら乾燥できる。
【００３２】
なお、送風管１２０は、変形可能であることが好ましい。あるいは、送風管１２０は、本体部１１０に対して移動可能であることが好ましい。例えば、送風管１２０は、本体部１１０に対して回転可能である。一例として、基管１２２は、Ｘ軸に沿って回転可能であり、これにより、基管１２２とともに本管１２４は本体部１１０に対して回転する。
【００３３】
次に、図２および図３を参照して、実施形態１の布団乾燥機１００の使用状態を説明する。図２は、布団乾燥機１００の模式的な斜視図であり、図３は、布団乾燥機１００の模式的な正面図である。
【００３４】
布団乾燥機１００は、布団Ｂの乾燥に用いられる。布団Ｂは、Ｙ方向に沿って床の上に配置される。布団Ｂは、敷布団Ｂ１と、掛布団Ｂ２とを含む。敷布団Ｂ１はＹ方向に沿って配置され、掛布団Ｂ２はＹ方向に沿って配置される。
【００３５】
掛布団Ｂ２は、敷布団Ｂ１の上に配置される。ここでは、掛布団Ｂ２は、敷布団Ｂ１の大部分を覆うが、敷布団Ｂ１の−Ｙ方向側端部を覆わない。このため、敷布団Ｂ１の−Ｙ方向側端部は露出される。
【００３６】
布団乾燥機１００は、掛布団Ｂ２の上に載置される。ここでは、布団乾燥機１００の主面１００ｂの大部分は、掛布団Ｂ２の上に載置される。一方で、主面１００ｂの−Ｙ方向側の一部は、掛布団Ｂ２と接触することなく敷布団Ｂ１の上方に位置する。
【００３７】
筐体１１２には吸気口１１４が設けられる。吸気口１１４は、本体部１１０の主面１１０ａに設けられる。
【００３８】
布団乾燥機１００が布団Ｂを乾燥する際には、送風管１２０の先端部が敷布団Ｂ１と掛布団Ｂ２との間に挿入される。布団乾燥機１００では、吸気口１１４から空気を吸い込み、加熱して送風管１２０の先端部から布団Ｂ内に温風として吹き出す。このとき、温風は、敷布団Ｂ１と掛布団Ｂ２との間を通過して敷布団Ｂ１と掛布団Ｂ２を温めて乾燥させる。
【００３９】
図３に示すように、布団乾燥機１００は、本体部１１０が第１突起部１１０ｓおよび第２突起部１１０ｔを介して掛布団Ｂ２の上に載るように配置される。また、送風管１２０は、敷布団Ｂ１と掛布団Ｂ２との間に挿入される。この場合、第１突起部１１０ｓ、第２突起部１１０ｔおよび筐体１１２の表面から構成される主面１１０ｂが掛布団Ｂ２を押さえ込む。したがって、送風管１２０と掛布団Ｂ２との間の隙間Ｇを小さくできる。特に、第１突起部１１０ｓ、第２突起部１１０ｔおよび筐体１１２の表面のうちの図３のＰに示した部分は、送風管１２０と掛布団Ｂ２との間の隙間Ｇを小さくするのに大きく寄与する。このため、送風管１２０から吹き出された風が隙間Ｇから漏れることを抑制でき、布団Ｂの乾燥効率を向上できる。
【００４０】
なお、図２では、吸気口１１４は、本体部１１０の主面１１０ａに設けられたが、本実施形態はこれに限定されない。吸気口１１４は、本体部１１０の側面１１０ｃ、側面１１０ｄ、側面１１０ｅおよび側面１１０ｆのいずれかに設けられてもよい。吸気口１１４は、本体部１１０の主面１１０ｂ以外の面に設けられることにより、本体部１１０の主面１１０ｂが掛布団Ｂ２と接触しても吸気口１１４を塞ぐことはなく、吸気効率は低下しない。
【００４１】
実施形態１の布団乾燥機１００では、本体部１１０の主面１００ｂに第１突起部１１０ｓおよび第２突起部１１０ｔが設けられており、本体部１１０の主面１１０ｂが掛布団Ｂ２を押圧するため、送風管１２０と掛布団Ｂ２との間の隙間Ｇを小さくできる。詳細には、第１突起部１１０ｓは、掛布団Ｂ２のうちの送風管１２０に対して−Ｘ方向側の領域を押圧し、第２突起部１１０ｔは、掛布団Ｂ２のうちの送風管１２０に対して＋Ｘ方向側の領域を押圧する。さらに、掛布団Ｂ２のＸ方向中央部分は、送風管１２０と筐体１１２との間に挟まれる。このため、送風管１２０と掛布団Ｂ２との間の隙間Ｇを小さくでき、送風管１２０から吹き出される風が布団Ｂの外に流れ出ることを抑制でき、布団の乾燥効率を向上できる。
【００４２】
また、実施形態１の布団乾燥機１００では、本体部１１０の外面のうち面積の最も大きい主面１１０ｂで布団Ｂを押圧するため、布団乾燥機１００は、掛布団Ｂ２の上に安定して載置される。さらに、吸気口１１４が、本体部１１０のうちの掛布団Ｂ２を押圧する主面１１０ｂ以外の面にあるため、掛布団Ｂ２を押圧する際にも充分に吸気できる。
【００４３】
次に、比較例の布団乾燥機８００と比較した実施形態１の布団乾燥機１００の利点を説明する。まず、図４を参照して比較例の布団乾燥機８００を説明する。
【００４４】
図４に示すように、布団乾燥機８００は、本体部８１０と、送風管８２０とを備える。本体部８１０の外形は直方体形状である。本体部８１０は、長手方向が鉛直方向に沿うように床上に配置される。本体部８１０は中空形状であり、本体部８１０の内部には、送風ファン８１６および送風加熱機構８１８が配置される。送風管８２０は、本体部８１０からの風を送る。送風管８２０は、水平方向に沿って延びる。
【００４５】
布団Ｂは、敷布団Ｂ１と、掛布団Ｂ２とを含む。敷布団Ｂ１は水平方向に沿って配置され、掛布団Ｂ２は敷布団Ｂ１と同じ方向に沿って配置される。
【００４６】
布団乾燥機８００が布団を乾燥する際に、送風管８２０の一部は、敷布団Ｂ１と掛布団Ｂ２との間に挿入される。このとき、本体部８１０は布団Ｂと接触しない。
【００４７】
図５は、布団乾燥実験の実験条件を説明するための模式図である。長さ２０５０ｍｍおよび幅１０００ｍｍの敷布団Ｂ１の上に熱電対Ｔ１、Ｔ２、Ｔ３を設置した。熱電対Ｔ１は敷布団Ｂ１の中央に配置した。熱電対Ｔ２は、熱電対Ｔ１から敷布団Ｂ１の長手方向に沿って６５０ｍｍ離れた敷布団Ｂ１の端部に配置した。熱電対Ｔ３は、熱電対Ｔ２から敷布団Ｂ１の短手方向に沿って３００ｍｍ離れた敷布団Ｂ１の隅に配置した。その後、敷布団Ｂ１および熱電対Ｔ１、Ｔ２、Ｔ３を覆うように、長さ２１００ｍｍおよび幅１５００ｍｍの掛布団Ｂ２を掛けた。
【００４８】
さらに、敷布団Ｂ１と掛布団Ｂ２との間に、比較例の布団乾燥機８００の送風管８２０を挿入した。送風管８２０は、熱電対Ｔ２に向けて敷布団Ｂ１の短手方向に平行に挿入し、送風管８２０と熱電対Ｔ１との距離が１７０ｍｍになるように設置した。
【００４９】
設置後、加熱および送風を行う乾燥運転を６０分間行った。その後、加熱なしで送風を行う送風運転を３０分間行い、熱電対Ｔ１〜Ｔ３の温度を測定した。
【００５０】
図６（ａ）に、比較例の布団乾燥機８００を用いた布団乾燥実験の測定結果を示す。図６（ａ）に示すように、熱電対Ｔ１の温度は、乾燥運転の開始後、速やかに上昇して略一定に維持され、送風運転になると、速やかに低下した。
【００５１】
一方、熱電対Ｔ２の温度は、乾燥運転の開始後、徐々に上昇したものの、６０分経過しても熱電対Ｔ１の温度までは上昇しなかった。また、送風運転になると、熱電対Ｔ２の温度は、緩やかに低下した。
【００５２】
熱電対Ｔ３の温度は、乾燥運転の開始後もほとんど上昇しなかった。また、送風運転になっても、熱電対Ｔ３の温度は、ほとんど変化しなかった。
【００５３】
図６（ａ）に示すように、比較例の布団乾燥機８００を用いた場合、熱電対Ｔ１の温度は、乾燥運転の駆動に応じて速やかに上昇する一方で、熱電対Ｔ２、Ｔ３の温度は、それほど上昇しなかった。特に、敷布団Ｂ１の隅部に配置された熱電対Ｔ３の温度と熱電対Ｔ１の温度との差は大きく、布団乾燥機８００を駆動しても十分な乾燥効果は得られなかった。
【００５４】
比較例の布団乾燥機８００では、図４に示すように、掛布団Ｂ２を持ち上げて敷布団Ｂ１と掛布団Ｂ２との間に送風管８２０を挿入する際に、送風管８２０と掛布団Ｂ２との間に隙間Ｇが生じる。隙間Ｇは布団Ｂ内で送風管８２０の先端に連通しているため、送風管８２０の先端から吹き出した温風の一部は布団Ｂを充分温める前に隙間Ｇから布団Ｂの外部に噴出してしまい、布団Ｂの乾燥効率を低下させたと考えられる。
【００５５】
一方、実施形態１の布団乾燥機１００を用いて、比較例の布団乾燥機８００と同様に、布団乾燥実験を行った。
【００５６】
図６（ｂ）に、実施形態１の布団乾燥機１００を用いた布団乾燥実験の測定結果を示す。図６（ｂ）に示すように、熱電対Ｔ１の温度は、乾燥運転の開始後、速やかに上昇し、送風運転になると、速やかに低下した。
【００５７】
熱電対Ｔ２の温度も、熱電対Ｔ１の温度と同様に、乾燥運転の開始後、速やかに上昇し、送風運転になると、速やかに低下した。さらに、熱電対Ｔ３の温度は、乾燥運転の開始後、徐々に上昇し、３０分経過したときには熱電対Ｔ１、Ｔ２の温度と同程度まで上昇した。また、送風運転になると、熱電対Ｔ３の温度は速やかに低下した。ただし、熱電対Ｔ３の温度の低下は、熱電対Ｔ１、Ｔ２と比べて若干遅かった。
【００５８】
図６（ａ）と図６（ｂ）との比較から、実施形態１の布団乾燥機１００を用いた場合、熱電対Ｔ１〜Ｔ３の温度は概ね同様に上昇しており、布団Ｂの全面において乾燥効率が格段に向上していたことが確認された。このように、実施形態１の布団乾燥機１００は、比較例の布団乾燥機８００と比べて、布団の温め・乾燥効率の点で優れており、短時間で温め・乾燥ができ、電力消費を低減できる。また、同等の時間で乾燥させる場合には、送風能力・加熱能力を低くできるので、送風機構および／または加熱機構のコストを低減でき、製品のコストダウン・小型化・軽量化などを実現できる。さらに、実施形態１の布団乾燥機１００の構成は、シンプルであり、製造不具合や使用時故障の可能性が低く、製造コストを低くできる。
【００５９】
なお、送風管１２０の送風方向は適宜変更可能であることが好ましい。例えば、送風管１２０は本体部１１０に対して回転可能であることが好ましい。
【００６０】
図７は、実施形態１の布団乾燥機１００の模式的な底面斜視図である。図７に示すように、送風管１２０全体は基管１２２の直線部１２２ａを中心として本体部１１０に対して回転できる。このため、本体部１１０と送風管１２０のなす角度を調整でき、送風管１２０の送風方向を変更できる。
【００６１】
あるいは、実施形態１の布団乾燥機１００において、送風管１２０の少なくとも一部が変形可能であってもよい。例えば、曲部１２４ａはジャバラ構造であってもよい。あるいは、曲部１２４ａは、柔軟な素材で構成されて可塑性を有してもよい。この場合、曲部１２４ａの調整により、本体部１１０に対する直線部１２４ｂの角度を調整できる。なお、本体部１１０に対する送風管１２０の角度調整は別の手法で行われてもよい。
【００６２】
なお、上述した説明では、第１突起部１１０ｓおよび第２突起部１１０ｔは、筐体１１２とは別部材として設けられたが、本実施形態はこれに限定されない。第１突起部１１０ｓおよび第２突起部１１０ｔは、筐体１１２と一体化して形成されてもよい。
【００６３】
また、上述した説明では、送風管１２０の基管１２２は、本体部１１０の主面１１０ｂおよび側面１１０ｄに設けられた窪み１１０ｇに配置されており、基管１２２は、本体部１１０の主面１１０ｂおよび側面１１０ｄの両方に位置したが、本実施形態はこれに限定されない。基管１２２は、本体部１１０の主面１１０ｂおよび側面１１０ｄのいずれか一方に位置してもよい。
【００６４】
（実施形態２）
図８および図９を参照して、実施形態２の布団乾燥機１００を説明する。図８は、実施形態２の布団乾燥機１００の模式的な底面斜視図である。実施形態２の布団乾燥機１００は、第１脚部１３０ａおよび第２脚部１３０ｂが設けられた点を除いて、図１〜図３および図７を参照して上述した実施形態１の布団乾燥機１００と同様の構成を有する。このため、冗長な説明を避ける目的で重複する記載を省略する。
【００６５】
図８に示すように、布団乾燥機１００は、本体部１１０、送風管１２０、第１突起部１１０ｓおよび第２突起部１１０ｔに加えて第１脚部１３０ａおよび第２脚部１３０ｂをさらに備える。第１脚部１３０ａおよび第２脚部１３０ｂは、本体部１１０の側面１１０ｄに取り付けられる。詳細には、第１脚部１３０ａは、本体部１１０の側面１１０ｄの−Ｘ方向側端部に取り付けられ、第２脚部１３０ｂは、本体部１１０の側面１１０ｄの＋Ｘ方向側端部に取り付けられる。
【００６６】
第１脚部１３０ａは、延長部１３２と、突出部１３４とを含む。延長部１３２は、−Ｙ方向に延びる。延長部１３２は、本体部１１０の側面１１０ｄと突出部１３４とを連絡する。
【００６７】
突出部１３４は、延長部１３２の先端から−Ｚ方向に延びる。本体部１１０の主面１１０ａを鉛直上方に向けた場合、突出部１３４の−Ｚ方向の先端位置は、第１突起部１１０ｓおよび第２突起部１１０ｔの−Ｚ方向の先端位置よりも低い。突出部１３４の長さは、布団乾燥機１００の乾燥対象となる布団の厚さに相当する。
【００６８】
第１脚部１３０ａと同様に、第２脚部１３０ｂは、延長部１３２と、突出部１３４とを備える。第１脚部１３０ａと同様であるため、第２脚部１３０ｂの構成についての説明を省略する。
【００６９】
次に、図９を参照して、実施形態２の布団乾燥機１００の使用状態を説明する。図９は、布団乾燥機１００の模式的な斜視図である。
【００７０】
布団乾燥機１００では、掛布団Ｂ２の上に、第１突起部１１０ｓおよび第２突起部１１０ｔを介して本体部１１０が載るように配置される。このとき、第１脚部１３０ａおよび第２脚部１３０ｂは、布団Ｂの載置されていない床に接触する。また、送風管１２０は、敷布団Ｂ１と掛布団Ｂ２との間に挿入される。
【００７１】
実施形態２の布団乾燥機１００では、第１突起部１１０ｓおよび第２突起部１１０ｔに加えて第１脚部１３０ａおよび第２脚部１３０ｂが設けられている。このため、第１突起部１１０ｓおよび第２突起部１１０ｔが掛布団Ｂ２上に載置し、第１脚部１３０ａおよび第２脚部１３０ｂが布団Ｂの載置されていない床面に接触することで、布団乾燥機１００はより安定して設置される。
【００７２】
なお、第１脚部１３０ａおよび第２脚部１３０ｂは本体部１１０から脱着可能であることが好ましい。第１脚部１３０ａおよび第２脚部１３０ｂを脱着することにより、布団乾燥機１００をコンパクトに収納できる。
【００７３】
（実施形態３）
図１０および図１１を参照して、実施形態３の布団乾燥機１００を説明する。図１０は、実施形態３の布団乾燥機１００の模式的な底面斜視図である。布団乾燥機１００は、布団の乾燥に好適に用いられる。
【００７４】
図１０に示すように、布団乾燥機１００は、本体部１１０、送風管１２０、第１突起部１１０ｓ、第２突起部１１０ｔに加えて第１脚部１３０ａおよび第２脚部１３０ｂをさらに備える。実施形態３の布団乾燥機１００は、本体部１１０、第１脚部１３０ａおよび第２脚部１３０ｂの構成を除いて、図８および図９を参照して上述した実施形態２の布団乾燥機１００と同様の構成を有する。このため、冗長な説明を避ける目的で重複する記載を省略する。
【００７５】
実施形態３の布団乾燥機１００において、本体部１１０の主面１１０ｂおよび側面１１０ｃには窪み１１０ｉが設けられる。また、本体部１１０の主面１１０ｂおよび側面１１０ｅには窪み１１０ｊが設けられる。
【００７６】
第１脚部１３０ａは、窪み１１０ｉ内に配置できる。第１脚部１３０ａは、窪み１１０ｉから展開可能に設けられる。第１脚部１３０ａは、−Ｙ方向側端部において本体部１１０に連結されており、第１脚部１３０ａは、連結部分を中心として回転可能である。第１脚部１３０ａが回転することにより、第１脚部１３０ａは、本体部１１０の窪み１１０ｉから突出するように展開する。また、第１脚部１３０ａを逆方向に回転することにより、第１脚部１３０ａは、本体部１１０の窪み１１０ｉ内に収納できる。
【００７７】
第２脚部１３０ｂは、窪み１１０ｊ内に配置できる。第２脚部１３０ｂは、窪み１１０ｊから展開可能に設けられる。第２脚部１３０ｂは、−Ｙ方向側端部において本体部１１０に連結されており、第２脚部１３０ｂは、連結部分を中心として回転可能である。第２脚部１３０ｂが回転することにより、第２脚部１３０ｂは、本体部１１０の窪み１１０ｊから突出するように展開する。また、第２脚部１３０ｂを逆方向に回転することにより、第２脚部１３０ｂは、本体部１１０の窪み１１０ｊ内に収納できる。
【００７８】
次に、図１１を参照して、実施形態３の布団乾燥機１００の使用状態を説明する。図１１は、布団乾燥機１００の模式的な斜視図である。
【００７９】
布団乾燥機１００は、本体部１１０が第１突起部１１０ｓおよび第２突起部１１０ｔを介して掛布団Ｂ２の上に載るように配置される。このとき、第１脚部１３０ａおよび第２脚部１３０ｂは、本体部１１０から展開した状態で、布団Ｂの載置されていない床に接触する。また、送風管１２０は、敷布団Ｂ１と掛布団Ｂ２との間に挿入される。
【００８０】
実施形態３の布団乾燥機１００では、第１突起部１１０ｓおよび第２突起部１１０ｔに加えて第１脚部１３０ａおよび第２脚部１３０ｂが設けられている。このため、第１突起部１１０ｓおよび第２突起部１１０ｔが掛布団Ｂ２上に載置し、第１脚部１３０ａおよび第２脚部１３０ｂが布団Ｂの載置されていない床面に接触することで、布団乾燥機１００はより安定して設置される。
【００８１】
実施形態３の布団乾燥機１００では、第１脚部１３０ａおよび第２脚部１３０ｂを本体部１１０に収納できる。このため、布団乾燥機１００は、小さいスペースにコンパクトに収納できる。一方、布団乾燥機１００を使用する際には、第１脚部１３０ａおよび第２脚部１３０ｂを展開することで、布団乾燥機１００をより安定して設置できる。
【００８２】
なお、図１０，１１に示した布団乾燥機１００の第１脚部１３０ａおよび第２脚部１３０ｂは回転して収納されたが、本実施形態はこれに限定されない。第１脚部１３０ａおよび第２脚部１３０ｂは、スライドあるいは伸縮して収納されてもよい。あるいは、第１脚部１３０ａおよび第２脚部１３０ｂは、本体部１１０から脱着可能であってもよい。このように、第１脚部１３０ａおよび第２脚部１３０ｂの少なくとも一方が、本体部１１０に対して移動可能、伸縮可能または脱着可能であることにより、布団乾燥機１００をコンパクトに収納できる。
【００８３】
（実施形態４）
図１２および図１３を参照して、実施形態４の布団乾燥機１００を説明する。図１２は、実施形態４の布団乾燥機１００の模式的な底面斜視図である。
【００８４】
図１２に示すように、実施形態４の布団乾燥機１００は、第１突起部１１０ｓおよび第２突起部１１０ｔに加えて第３突起部１１０ｕおよび第４突起部１１０ｖをさらに備えること、および、第１突起部１１０ｓ、第２突起部１１０ｔ、第３突起部１１０ｕおよび第４突起部１１０ｖが本体部１１０に対して可動であることを除いて、図１〜図３および図７を参照して上述した実施形態１の布団乾燥機１００と同様の構成を有する。このため、冗長な説明を避ける目的で重複する記載を省略する。
【００８５】
布団乾燥機１００は、第１突起部１１０ｓおよび第２突起部１１０ｔに加えて第３突起部１１０ｕおよび第４突起部１１０ｖをさらに備える。第１突起部１１０ｓ、第２突起部１１０ｔ、第３突起部１１０ｕおよび第４突起部１１０ｖは、本体部１１０の主面１１０ｂにおいて突起可能である。
【００８６】
第１突起部１１０ｓおよび第２突起部１１０ｔは、送風管１２０を中心として線対称に配置されている。また、第３突起部１１０ｕおよび第４突起部１１０ｖは、送風管１２０を中心として線対称に配置されている。
【００８７】
実施形態４の布団乾燥機１００において、本体部１１０の主面１１０ｂおよび側面１１０ｃには窪み１１０ｍおよび窪み１１０ｐが設けられる。窪み１１０ｍは、主面１１０ｂおよび側面１１０ｃの−Ｙ方向側に位置し、窪み１１０ｐは、主面１１０ｂおよび側面１１０ｃの＋Ｙ方向側に位置する。
【００８８】
本体部１１０の主面１１０ｂおよび側面１１０ｅには窪み１１０ｎおよび窪み１１０ｑが設けられる。窪み１１０ｎは、主面１１０ｂおよび側面１１０ｅの−Ｙ方向側に位置し、窪み１１０ｑは、主面１１０ｂおよび側面１１０ｅの＋Ｙ方向側に位置する。
【００８９】
第１突起部１１０ｓは、窪み１１０ｍ内に配置できる。第１突起部１１０ｓは筐体１１２に対して回転可能である。第１突起部１１０ｓが回転することにより、第１突起部１１０ｓは、本体部１１０の窪み１１０ｍから突出するように展開する。また、第１突起部１１０ｓを逆方向に回転することにより、第１突起部１１０ｓは、本体部１１０の窪み１１０ｍ内に収納できる。
【００９０】
第１突起部１１０ｓは、軸部１１０ｓ１と、回転部１１０ｓ２とを有する。軸部１１０ｓ１は、筐体１１２と連結する。軸部１１０ｓ１は、筐体１１２に取り付けられる。軸部１１０ｓ１は、Ｘ方向に延びる。回転部１１０ｓ２は、軸部１１０ｓ１と連結する。回転部１１０ｓ２は、軸部１１０ｓ１から−Ｙ方向に延びる。軸部１１０ｓ１は、Ｘ軸を中心に回転可能であり、軸部１１０ｓ１の回転により、軸部１１０ｓ１とともに回転部１１０ｓ２が筐体１１２に対して回転する。
【００９１】
図１２では、回転部１１０ｓ２は窪み１１０ｍ内に収納されているが、回転部１１０ｓ２は、軸部１１０ｓ１の回転とともに軸部１１０ｓ１を中心に回転する。軸部１１０ｓ１の回転により、回転部１１０ｓ２は、本体部１１０の窪み１１０ｍ内から出る。このため、第１突起部１１０ｓは、筐体１１２の表面から突起する。
【００９２】
なお、第１突起部１１０ｓと同様に、第２突起部１１０ｔ、第３突起部１１０ｕおよび第４突起部１１０ｖは、窪み１１０ｎ、窪み１１０ｐ、窪み１１０ｑ内に収納可能である。また、第２突起部１１０ｔ、第３突起部１１０ｕおよび第４突起部１１０ｖは、回転により、筐体１１２の表面から突起する。
【００９３】
次に、図１３を参照して、実施形態４の布団乾燥機１００の使用状態を説明する。図１３は、布団乾燥機１００の模式的な斜視図である。
【００９４】
実施形態４の布団乾燥機１００では、第１突起部１１０ｓ、第２突起部１１０ｔ、第３突起部１１０ｕおよび第４突起部１１０ｖは、本体部１１０の表面において突起する。布団乾燥機１００が布団Ｂを乾燥する際に、第１突起部１１０ｓ、第２突起部１１０ｔ、第３突起部１１０ｕおよび第４突起部１１０ｖが本体部１１０の表面において突起した状態で、布団乾燥機１００は掛布団Ｂ２の上に配置される。また、送風管１２０は、敷布団Ｂ１と掛布団Ｂ２との間に挿入される。
【００９５】
実施形態４の布団乾燥機１００では、使用時には、図１３に示すように、第１突起部１１０ｓ、第２突起部１１０ｔ、第３突起部１１０ｕおよび第４突起部１１０ｖを筐体１１２の表面から突起させることで、布団乾燥機１００の使用時の乾燥効率を向上できる。一方で、収容時には、図１２に示すように、第１突起部１１０ｓ、第２突起部１１０ｔ、第３突起部１１０ｕおよび第４突起部１１０ｖを本体部１１０の窪み１１０ｍ、窪み１１０ｎ、窪み１１０ｐおよび窪み１１０ｑ内に収納できる。このため、布団乾燥機１００は、比較的小さいスペースで収納できる。
【００９６】
なお、図１２および図１３に示した実施形態４の布団乾燥機１００では、第１突起部１１０ｓ、第２突起部１１０ｔ、第３突起部１１０ｕおよび第４突起部１１０ｖが設けられたが、本発明はこれに限定されない。突起部の数は４以外であってもよい。ただし、突起部の数は偶数であることが好ましい。また、突起部は、送風管１２０を中心として線対称に配置されることが好ましい。
【００９７】
また、図１２および図１３に示した実施形態４の布団乾燥機１００では、第１突起部１１０ｓ、第２突起部１１０ｔ、第３突起部１１０ｕおよび第４突起部１１０ｖの収納および突起は、回転によって切り替られたが、本実施形態はこれに限定されない。第１突起部１１０ｓ、第２突起部１１０ｔ、第３突起部１１０ｕおよび第４突起部１１０ｖの収納および突起は、スライドまたは伸縮によって切り替られてもよい。あるいは、第１突起部１１０ｓ、第２突起部１１０ｔ、第３突起部１１０ｕおよび第４突起部１１０ｖは、筐体１１２から脱着可能であってもよい。
【００９８】
（実施形態５）
図１４〜図１６を参照して、実施形態５の布団乾燥機１００を説明する。図１４は、実施形態５の布団乾燥機１００の模式的な底面斜視図である。
【００９９】
図１４に示すように、本実施形態の布団乾燥機１００は、本体部１１０、第１突起部１１０ｓ、第２突起部１１０ｔ、第３突起部１１０ｕ、第４突起部１１０ｖおよび第５突起部１１０ｗの構成を除いて、図１〜図３および図７を参照して上述した実施形態１の布団乾燥機１００と同様の構成を有する。このため、冗長な説明を避ける目的で重複する記載を省略する。
【０１００】
布団乾燥機１００は、本体部１１０、送風管１２０、第１突起部１１０ｓおよび第２突起部１１０ｔに加えて第３突起部１１０ｕ、第４突起部１１０ｖおよび第５突起部１１０ｗをさらに備える。第１突起部１１０ｓ、第２突起部１１０ｔ、第３突起部１１０ｕおよび第４突起部１１０ｖは、本体部１１０の主面１１０ｂに設けられる。第５突起部１１０ｗは、本体部１１０の主面１１０ａに設けられる。
【０１０１】
第１突起部１１０ｓおよび第２突起部１１０ｔは、本体部１１０の主面１１０ｂのＹ方向中央部に位置する。第１突起部１１０ｓは、本体部１１０の主面１１０ｂのＹ方向中央部において−Ｘ方向側に位置し、第２突起部１１０ｔは、本体部１１０の主面１１０ｂのＹ方向中央部において＋Ｘ方向側に位置する。
【０１０２】
第３突起部１１０ｕおよび第４突起部１１０ｖは、本体部１１０の主面１１０ｂの＋Ｙ方向側端部に位置する。詳細には、第３突起部１１０ｕは、本体部１１０の主面１１０ｂの＋Ｙ方向側端部において−Ｘ方向側に位置し、第４突起部１１０ｖは、本体部１１０の主面１１０ｂの＋Ｙ方向側端部において＋Ｘ方向側に位置する。筐体１１２の＋Ｙ方向側面と第３突起部１１０ｕおよび第４突起部１１０ｖの側面とは平坦に連続する。
【０１０３】
第５突起部１１０ｗは、本体部１１０の主面１１０ａに設けられる。第５突起部１１０ｗは、本体部１１０の主面１１０ａの＋Ｙ方向側端部に位置する。第５突起部１１０ｗのＸ方向の長さは筐体１１２のＸ方向の長さと略等しい。また、筐体１１２の＋Ｙ方向側面と第５突起部１１０ｗとは平坦に連続する。
【０１０４】
送風管１２０が本体部１１０に近づくように送風管１２０を本体部１１０に対して回転させた場合、送風管１２０は、第１突起部１１０ｓおよび第２突起部１１０ｔとの間に位置する。また、送風管１２０は、第３突起部１１０ｕおよび第４突起部１１０ｖとの間に位置する。
【０１０５】
布団乾燥機１００では、第３突起部１１０ｕ、第４突起部１１０ｖおよび第５突起部１１０ｗにより、側面１１０ｆの面積は、側面１１０ｄの面積よりも大きい。このように、第３突起部１１０ｕ、第４突起部１１０ｖおよび第５突起部１１０ｗにより、布団乾燥機１００は、本体部１１０の側面１１０ｆを底面にして自立でき、安定して載置できる。
【０１０６】
基管１２２は、本体部１１０の主面１１０ｂおよび側面１１０ｄの両方に位置する。このため、布団乾燥機１００では、側面１１０ｆの面積は、基管１２２の設けられた側面１１０ｄの面積よりも大きい。布団乾燥機１００では、側面１１０ｆを底面とすると、基管１２２を高い位置に配置できるため、高い位置にある布団でも、安定して乾燥できる。
【０１０７】
次に、図１５を参照して、実施形態５の布団乾燥機１００の使用状態を説明する。図１５は、布団乾燥機１００の模式的な斜視図である。
【０１０８】
図１５に示すように、布団乾燥機１００は、本体部１１０の長手方向が水平方向に平行になるように配置した状態で使用される。布団乾燥機１００では、掛布団Ｂ２の上に、第１突起部１１０ｓ、第２突起部１１０ｔ、第３突起部１１０ｕおよび第４突起部１１０ｖを介して本体部１１０が載るように配置される。また、送風管１２０は、敷布団Ｂ１と掛布団Ｂ２との間に挿入される。
【０１０９】
実施形態５の布団乾燥機１００では、第１突起部１１０ｓおよび第２突起部１１０ｔに加えて第３突起部１１０ｕおよび第４突起部１１０ｖが設けられている。このため、第１突起部１１０ｓ、第２突起部１１０ｔ、第３突起部１１０ｕおよび第４突起部１１０ｖが掛布団Ｂ２上に載置することで、布団乾燥機１００はより安定して設置される。
【０１１０】
次に、図１６を参照して、実施形態５の布団乾燥機１００の別の使用状態を説明する。図１６は、布団乾燥機１００の模式的な斜視図である。
【０１１１】
図１６に示すように、布団乾燥機１００は、本体部１１０の長手方向が鉛直方向に平行になるように配置した状態で使用できる。この場合、本体部１１０の側面１１０ｆが底面となる。また、送風管１２０は、本体部１１０に対して回転する。送風管１２０では、本管１２４は基管１２２とともに本体部１１０に対して回転する。
【０１１２】
実施形態５の布団乾燥機１００では、筐体１１２の側面だけでなく第３突起部１１０ｕ、第４突起部１１０ｖおよび第５突起部１１０ｗの側面が床と接触するため、布団乾燥機１００は、安定して床面に載置される。布団が床から高い位置に配置されている場合、布団乾燥機１００は好適に用いられる。例えば、布団乾燥機１００は、ベッドに載置された布団を好適に乾燥できる。このように、布団乾燥機１００では、側面１１０ｆを底面とすると、送風管１２０の基管１２２が高い位置に配置されるため、高い位置にある布団でも、安定して乾燥できる。
【０１１３】
図１５および図１６に示したように、実施形態５の布団乾燥機１００は、本体部１１０の長手方向を水平方向に平行にしても鉛直方向に平行にしても使用できる。特に、本体部１１０の長手方向を鉛直方向に平行にした場合、送風管１２０は、筐体１１２の上方と連絡するため、比較的高い位置に配置された布団の乾燥を容易に実行できる。
【０１１４】
なお、図１５では、第３突起部１１０ｕおよび第４突起部１１０ｖは布団Ｂを押さえるためにも用いられたが、本実施形態はこれに限定されない。第３突起部１１０ｕおよび第４突起部１１０ｖは、布団Ｂを押さえるために用いられなくてもよい。例えば、第３突起部１１０ｕおよび第４突起部１１０ｖのＺ方向の長さは、第１突起部１１０ｓおよび第２突起部１１０ｔのＺ方向の長さよりも短くてもよい。
【０１１５】
また、図１４から図１６に示した布団乾燥機１００では、本体部１１０の主面１１０ｂに第３突起部１１０ｕおよび第４突起部１１０ｖを設け、本体部１１０の主面１１０ａに第５突起部１１０ｗを設けたが、本実施形態はこれに限定されない。本体部１１０の主面１１０ａおよび主面１１０ｂの一方側のみに突起部を設けてもよい。
【０１１６】
さらに、図１４から図１６に示した布団乾燥機１００では、第３突起部１１０ｕ、第４突起部１１０ｖおよび第５突起部１１０ｗは、直方体形状の本体部１１０の主面１１０ａおよび主面１１０ｂに取り付けられたが、本実施形態はこれに限定されない。本体部１１０の側面１１０ｆが側面１１０ｄよりも広くなるように本体部１１０の＋Ｙ方向側端部を広い面積で形成されてもよい。
【０１１７】
なお、第３突起部１１０ｕ、第４突起部１１０ｖおよび第５突起部１１０ｗは、回転可能、スライド可能または脱着可能であることが好ましい。この場合、布団乾燥機１００をコンパクトに収納できる。
【０１１８】
以上、図面（図１〜図１６）を参照しながら本発明の実施形態について説明した。但し、本発明は、上記の実施形態に限られるものではなく、その要旨を逸脱しない範囲で種々の態様において実施形態として実施することが可能である。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果を実質的に逸脱しない範囲で種々の変更が可能である。
【０１１９】
なお、本願はさらに以下の付記を開示する。ただし、以下の付記は、本願の開示を限定するものではない。
【０１２０】
（付記１）
本体部と、
前記本体部の表面において突起する第１突起部と、
前記本体部の表面において突起する第２突起部と、
前記第１突起部と前記第２突起部の間に配置された送風管と
を備える、布団乾燥機。
【０１２１】
（付記２）
前記本体部は、複数の外面を有し、
前記本体部において、前記複数の外面のうち前記第１突起部および前記第２突起部の設けられた外面とは異なる外面に吸気口が設けられる、付記１に記載の布団乾燥機。
【０１２２】
（付記３）
前記第１突起部および前記第２突起部は、前記本体部に対して移動可能、伸縮可能または脱着可能である、付記１または２に記載の布団乾燥機。
【０１２３】
（付記４）
前記本体部には、前記第１突起部および前記第２突起部を収容する窪みが設けられる、付記１から３のいずれかに記載の布団乾燥機。
【０１２４】
（付記５）
前記本体部に取り付けられた脚部をさらに備える、付記１から４のいずれかに記載の布団乾燥機。
【０１２５】
（付記６）
前記脚部は、前記本体部に対して移動可能、伸縮可能または脱着可能である、付記５に記載の布団乾燥機。
【０１２６】
（付記７）
前記本体部には、前記脚部を収容する窪みが設けられる、付記５または６に記載の布団乾燥機。
【０１２７】
（付記８）
前記本体部は、複数の外面を有し、
前記第１突起部および前記第２突起部は、前記複数の外面のうちの面積の最も大きい外面に設けられる、付記１から７のいずれかに記載の布団乾燥機。
【０１２８】
（付記９）
前記本体部は、複数の外面を有し、
前記送風管は、前記本体部と連絡する基管と、前記基管に連結された本管とを有し、
前記基管は、前記複数の外面のうちの面積の最も小さい外面に設けられる、付記１から８のいずれかに記載の布団乾燥機。
【０１２９】
（付記１０）
前記送風管は、変形可能であるか、または、前記本体部に対して回転可能である、付記１から９のいずれかに記載の布団乾燥機。
【０１３０】
（付記１１）
前記送風管は、前記本体部と連絡する基管と、前記基管に連結された本管とを有し、
前記本体部は、複数の外面を有し、
前記本体部のうち前記複数の外面のうち前記基管の設けられた面に対向する面の面積は、前記本体部のうち前記複数の外面のうち前記基管の設けられた面の面積よりも大きい、付記１から１０のいずれかに記載の布団乾燥機。
【産業上の利用可能性】
【０１３１】
本発明によれば、布団乾燥機による布団の乾燥効率を向上できる。
【符号の説明】
【０１３２】
１００    布団乾燥機
１１０    本体部
１１０ｓ  第１突起部
１１０ｔ  第２突起部
１２０    送風管
１２２    基管
１２４    本管
１３０ａ  第１脚部
１３０ｂ  第２脚部
【図１】
2019201778.tif 000003
【図２】
2019201778.tif 000004
【図３】
2019201778.tif 000005
【図４】
2019201778.tif 000006
【図５】
2019201778.tif 000007
【図６】
2019201778.tif 000008
【図７】
2019201778.tif 000009
【図８】
2019201778.tif 000010
【図９】
2019201778.tif 000011
【図１０】
2019201778.tif 000012
【図１１】
2019201778.tif 000013
【図１２】
2019201778.tif 000014
【図１３】
2019201778.tif 000015
【図１４】
2019201778.tif 000016
【図１５】
2019201778.tif 000017
【図１６】
2019201778.tif 000018